(57)【特許請求の範囲】
【請求項１】
回転可能な溶融金属容器の外部を取り囲むリング部材と、
前記溶融金属容器の回転位置によって前記溶融金属容器の荷重を前記リング部材と連係して単独で又は一緒に支持するように構成された第１及び第２の支持部と、
を含み、
前記第１の支持部は、
前記リング部材に備えられる第１の固定部材と、
一側が前記第１の固定部材に連結されるリンク部材と、
前記溶融金属容器に備えられ前記リンク部材の他側が連結される第２の固定部材と、
を含み、
前記第２の支持部は、
前記リング部材に備えられる支持部材と、
前記支持部材の一側が挿入されるように前記溶融金属容器に形成された挿入穴と、
を含む、溶融金属容器支持装置。
【請求項２】
前記リング部材には回転軸が備えられ、
前記溶融金属容器は前記リング部材と一緒に前記回転軸を中心に回転する、請求項１に記載の溶融金属容器支持装置。
【請求項３】
前記溶融金属容器の直立位置から、該直立位置から一定角度回転した第１の回転位置までは、前記第１の支持部が前記リング部材と連係して前記溶融金属容器の荷重を単独で支持し、
前記第１の回転位置から、前記直立位置から９０°回転した第２の回転位置までは、前記第１の支持部と前記第２の支持部が一緒に前記リング部材と連係して前記溶融金属容器の荷重を支持し、
前記第２の回転位置から、該第２の回転位置から一定角度回転した第３の回転位置までは、前記第２の支持部が前記リング部材と連係して前記溶融金属容器の荷重を単独で支持する、請求項１に記載の溶融金属容器支持装置。
【請求項４】
前記第１の固定部材と前記リンク部材の連結部又は前記リンク部材と前記第２の固定部材の連結部には球面軸受が備えられる、請求項１に記載の溶融金属容器支持装置。
【請求項５】
前記第１の固定部材と前記リンク部材の一側又は前記リンク部材の他側と前記第２の固定部材はピン部材によって連結され、
前記第１の固定部材と前記ピン部材の間又は前記第２の固定部材と前記ピン部材の間にはテーパー部材が位置する、請求項１に記載の溶融金属容器支持装置。
【請求項６】
前記テーパー部材は前記第１の固定部材と前記ピン部材又は前記第２の固定部材と前記ピン部材に連結されるカバー部材と一体に形成される、請求項５に記載の溶融金属容器支持装置。
【請求項７】
前記支持部材と前記挿入穴の間には第１の間隙と前記第１の間隙の反対側に形成される第２の間隙が形成され、前記溶融金属容器の直立位置で前記第１の間隙と第２の間隙は前記挿入穴の上部と下部にそれぞれ位置する、請求項１に記載の溶融金属容器支持装置。
【請求項８】
前記第１の間隙は前記第２の間隙より大きい、請求項７に記載の溶融金属容器支持装置。
【発明の詳細な説明】
【技術分野】
【０００１】
本発明は、回転位置によって単独で又は一緒にリング部材と連係して溶融金属容器の荷重を支持する第１及び第２の支持部を含む溶融金属容器支持装置に関する。
【背景技術】
【０００２】
転炉のように溶融金属が入る溶融金属容器Ｃは回転することができる。このような溶融金属容器Ｃは、内部に入る溶融金属を外部に出鋼させるために又は転炉の場合は吹練中に発生するスラグの除去のために、一側又は他側に回転するか又は一側又は他側に交互に回転することができる。
【０００３】
このため、例えば、図９の（ｂ）に示されているように、溶融金属容器Ｃは、これを取り囲み且つ回転軸Ａが備えられたリング部材２０と一緒にその回転軸Ａを中心に回転することができる。そして、このような溶融金属容器Ｃの回転時や停止時には、その荷重を支持しなければならない。
【０００４】
このように、溶融金属容器Ｃの回転時や停止時に溶融金属容器Ｃの荷重を支持するために、図８の（ａ）に示されているように、溶融金属容器Ｃに連結された連結部材Ｒをリング部材２０上に位置させた状態で、リング部材２０に貫通連結された連結部材Ｍに固定部材Ｆを挿入して溶融金属容器Ｃとリング部材２０を固定した。しかしながら、この場合は、比較的大きな構造物が必要とされるという問題がある。
【０００５】
また、図８の（ｂ）に示されているように、リング部材２０には支持部材４１が備えられ、溶融金属容器Ｃには支持部材４１の一側が挿入されリブＬが備えられた挿入穴４２が形成されて溶融金属容器Ｃの荷重を支持部材４１が支持するようにした。しかしながら、この場合は、支持部材４１と挿入穴４２間の狭い間隙と、材質の異なる溶融金属容器Ｃとリング部材２０の熱膨張差によって、支持部材４１が片磨耗されるか又は支持部材４１や挿入穴４２にクラックが発生するという問題がある。
【０００６】
そして、図９の（ａ）に示されているように、一側が溶融金属容器Ｃに連結されたリング部材２０の他側を薄板Ｓを用いて溶融金属容器Ｃに連結して、溶融金属容器Ｃの荷重を支持するようにした。しかしながら、この場合、薄板Ｓに曲げ荷重が発生すると、非常に弱くなるという問題があり、溶融金属容器Ｃの内部に入った溶融金属を外部に出鋼するときに、出鋼される溶融金属によって薄板Ｓが損傷されるという問題がある。
【０００７】
また、 図９の（ｂ）に示されているように、リング部材２０に備えられる第１の固定部材３１と溶融金属容器Ｃに備えられる第２の固定部材３３をリンク部材３２で垂直又は水平に連結して溶融金属容器Ｃの荷重を支持するように した。しかしながら、この場合は、水平に連結されたリンク部材３２が荷重を受ける溶融金属容器Ｃの回転位置で溶融金属容器Ｃの荷重によって連結部、特に、第１の固定部材３１とリング部材２０が連結された連結部にクラックが発生するという問題がある。そして、例えば、溶融金属容器Ｃが転炉の場合に吹練中に発生するスラグの除去のために溶融金属容器Ｃを一側又は他側に交互に回転させると、垂直に連結されたリンク部材３２が別の間隔で配置されていることから、垂直に連結されたリンク部材３２のうち一つのみに過度な荷重が作用するという問題がある。また、これにより、連結部にクラックが発生するという問題もある。
【発明の概要】
【発明が解決しようとする課題】
【０００８】
本発明は、上記のような従来の溶融金属容器支持装置で発生する要求又は問題のうち少なくともいずれか一方を認識してなされたものである。
【０００９】
本発明の一つの目的は、回転位置によって単独で又は一緒にリング部材と連係して溶融金属容器の荷重を支持するようにすることである。
【００１０】
本発明の他の目的は、溶融金属容器の回転位置にかかわらず、溶融金属容器の荷重を偏ることなく安定的に支持できるようにすることである。
【００１１】
本発明のさらに他の目的は、溶融金属容器の荷重が偏って作用するか又は溶融金属容器とリング部材の熱膨張差によって連結部等にクラックが発生することを防止するようにすることである。
【００１２】
本発明のさらに他の目的は、溶融金属容器を一側又は他側に交互に回転させる場合にも安定的に溶融金属容器を支持できるようにすることである。
【課題を解決するための手段】
【００１３】
上記課題のうち少なくとも一つの課題を実現するための本発明の一実施形態に係る溶融金属容器支持装置は、下記のような特徴を含むことができる。
【００１４】
本発明は、溶融金属容器の回転によって溶融金属容器の外部を取り囲むリング部材と連係して溶融金属容器の荷重を単独で又は一緒に支持する第１及び第２の支持部を含むことに基づく。
【００１５】
本発明の一実施形態による溶融金属容器支持装置は、回転可能な溶融金属容器の外部を取り囲むリング部材と、溶融金属容器の回転位置によって溶融金属容器の荷重をリング部材と連係して単独で又は一緒に支持するように構成された第１及び第２の支持部と、を含んで構成されることができる。
【００１６】
この場合、上記リング部材には回転軸が備えられ、溶融金属容器はリング部材と一緒に回転軸を中心に回転することができる。
【００１７】
また、上記溶融金属容器の直立位置から、該直立位置から一定角度回転した第１の回転位置までは、第１の支持部がリング部材と連係して溶融金属容器の荷重を単独で支持し、第１の回転位置から、直立位置から９０°回転した第２の回転位置までは、第１の支持部と第２の支持部が一緒にリング部材と連係して溶融金属容器の荷重を支持し、第２の回転位置から、該第２の回転位置から一定角度回転した第３の回転位置までは、第２の支持部がリング部材と連係して溶融金属容器の荷重を単独で支持することができる。
【００１８】
このため、上記第１の支持部は、リング部材に備えられる第１の固定部材と、一側が第１の固定部材に連結されるリンク部材と、溶融金属容器に備えられリンク部材の他側が連結される第２の固定部材と、を含むことができる。
【００１９】
また、上記第１の固定部材とリンク部材の連結部又はリンク部材と第２の固定部材の連結部には、球面軸受が備えられることができる。
【００２０】
そして、上記第１の固定部材とリンク部材の一側又はリンク部材の他側と第２の固定部材はピン部材によって連結され、第１の固定部材とピン部材の間又は第２の固定部材とピン部材の間にはテーパー部材が位置することができる。
【００２１】
また、上記テーパー部材は、第１の固定部材とピン部材又は第２の固定部材とピン部材に連結されるカバー部材と一体に形成されることができる。
【００２２】
そして、上記第２の支持部は、リング部材に備えられる支持部材と、支持部材の一側が挿入されるように溶融金属容器に形成された挿入穴と、を含み、支持部材と挿入穴の間には第１の間隙と第１の間隙の反対側に形成される第２の間隙が形成され、溶融金属容器の直立位置で第１の間隙と第２の間隙は挿入穴の上部と下部にそれぞれ位置することができる。
【００２３】
また、上記第１の間隙は第２の間隙より大きい。
【発明の効果】
【００２４】
以上のように、本発明の実施例によれば、回転位置によって単独で又は一緒にリング部材と連係して溶融金属容器の荷重を支持することができる。
【００２５】
また、本発明の実施例によれば、溶融金属容器の回転位置にかかわらず、溶融金属容器の荷重を偏ることなく安定的に支持することができる。
【００２６】
また、本発明の実施例によれば、溶融金属容器の荷重が偏って作用するか又は溶融金属容器とリング部材の熱膨張差によって連結部等にクラックが発生することを防止することができる。
【００２７】
また、本発明の実施例によれば、溶融金属容器を一側又は他側に交互に回転させる場合にも安定的に溶融金属容器を支持することができる。
【図面の簡単な説明】
【００２８】
【図１】本発明による溶融金属容器支持装置の一実施例の正面図である。
【図２】本発明による溶融金属容器支持装置の一実施例の底面図である。
【図３】本発明による溶融金属容器支持装置の一実施例の第１の支持部の第１の固定部材又は第２の固定部材とリンク部材の連結部を示す断面図である。
【図４】本発明による溶融金属容器支持装置の一実施例の第１の支持部の第１の固定部材又は第２の固定部材とリンク部材の連結部の他の実施例を示す断面図である。
【図５】本発明による溶融金属容器支持装置の一実施例の第２の支持部を示す拡大断面図である。
【図６】本発明による溶融金属容器支持装置の一実施例の作動を示す図である。
【図７】本発明による溶融金属容器支持装置の一実施例の作動を示す図である。
【図８】（ａ）及び（ｂ）は、従来の溶融金属容器支持装置を示す図である。
【図９】（ａ）及び（ｂ）は、従来の溶融金属容器支持装置を示す図である。
【発明を実施するための形態】
【００２９】
以下、上述した本発明の特徴の理解のために、本発明の実施例に係る溶融金属容器支持装置についてより詳細に説明する。
【００３０】
後述する実施例は、本発明の技術的な特徴の理解のための最も適した実施例に基づくが、この実施例によって本発明の技術的な特徴が制限されるのではなく、後述する実施例のように本発明が具現されることができることを例示するものである。したがって、本発明は、後述する実施例により本発明の技術範囲内で多様な変形実施が可能であり、このような変形実施例は、本発明の技術範囲内に属する。そして、後述する実施例の理解のために、添付図面の符号と関連し、各実施例において同一作用をする構成要素のうち関連する構成要素は同一又は延長線上の数字で表した。
【００３１】
本発明に係る実施例は、溶融金属容器の回転によって溶融金属容器の外部を取り囲むリング部材と連係して溶融金属容器の荷重を単独で又は一緒に支持する第１及び第２の支持部を含むことに基づく。
【００３２】
図１と図２に示される実施例のように、本発明による溶融金属容器支持装置１００は、リング部材２００と、第１及び第２の支持部３００、４００と、を含んで構成されることができる。
【００３３】
リング部材２００は、図１と図２に示される実施例のように、溶融金属容器Ｃの外部を取り囲むことができる。リング部材２００が外部を取り囲む溶融金属容器Ｃは回転することができる。このため、図示されている実施例のように、リング部材２００には回転軸Ａが備えられることができる。そして、このような回転軸Ａは、モータやギア等からなる回転駆動部（図示せず）に連結されることができる。
【００３４】
また、リング部材２００は、後述するように、第１及び第２の支持部３００、４００と連係して溶融金属容器Ｃの荷重を支持することができる。したがって、回転駆動部の駆動によってリング部材２００が回転軸Ａを中心に回転すると、溶融金属容器Ｃがリング部材２００と一緒にリング部材２００の回転軸Ａを中心に回転することができる。しかしながら、溶融金属容器Ｃが回転する構成は、図示されている実施例に限定されず、溶融金属容器Ｃが回転することができる構成であればいずれの構成でも良い。
【００３５】
そして、リング部材２００も、特に限定されず、溶融金属容器Ｃの外部を取り囲み且つ後述するように第１及び第２の支持部３００、４００と連係して溶融金属容器Ｃの荷重を支持するものであればいずれのものでも良い。
【００３６】
一方、前述した溶融金属容器Ｃは転炉であることができる。しかしながら、溶融金属容器Ｃは、転炉に限定されず、溶融金属が入るものであればいずれのものでも良い。
【００３７】
第１及び第２の支持部３００、４００は、溶融金属容器Ｃの回転位置によって溶融金属容器Ｃの荷重をリング部材２００と連係して単独で又は一緒に支持することができる。したがって、溶融金属容器Ｃの回転位置にかかわらず、溶融金属容器Ｃの荷重を偏ることなく安定的に支持することができる。そして、溶融金属容器Ｃの荷重が偏って作用して連結部等にクラックが発生することを防止することができる。
【００３８】
第１及び第２の支持部３００、４００のうち第１の支持部３００は、図６と図７に示されているように、溶融金属容器Ｃの直立位置Ｄから、該直立位置Ｄから一定角度回転した第１の回転位置Ｄ１までは、リング部材２００と連係して溶融金属容器Ｃの荷重を単独で支持することができる。そして、第１の支持部３００は、第１の回転位置Ｄ１から、直立位置Ｄから９０°回転した第２の回転位置Ｄ２までは、第２の支持部４００と一緒にリング部材２００と連係して溶融金属容器Ｃの荷重を支持することができる。また、第１の支持部３００は、第２の回転位置Ｄ２から、該第２の回転位置Ｄ２から一定角度回転した第３の回転位置Ｄ３までは、リンク部材２００と連係して溶融金属容器Ｃの荷重を支持しないことができる。第２の回転位置Ｄ２から第３の回転位置Ｄ３までは、後述するように、第２の支持部４００がリンク部材２００と連係して単独で溶融金属容器Ｃの荷重を支持することができる。
【００３９】
このような第１の支持部３００は、図２に示される実施例のように、回転軸Ａを中心に溶融金属容器Ｃの一側に二つ、他側に二つ、全部で４個が等間隔で備えられることができる。したがって、回転軸Ａを中心にリング部材２００と一緒に溶融金属容器Ｃが一側又は他側のいずれの側に回転しても、第１の支持部３００が、前述したように、直立位置Ｄから第１の回転位置Ｄ１まではリング部材２００と連係して単独で、そして、第１の回転位置Ｄ１から第２の回転位置Ｄ２まではリング部材２００と連係して第２の支持部４００と一緒に溶融金属容器Ｃの荷重を支持することができる。また、第２の回転位置Ｄ２から第３の回転位置Ｄ３まではリング部材２００と連係して第２の支持部４００が溶融金属容器Ｃの荷重を支持することができる。したがって、溶融金属容器Ｃを一側又は他側に交互に回転させる場合にも安定的に溶融金属容器を支持することができる。これにより、溶融金属容器Ｃが転炉の場合、転炉を一側又は他側に交互に回転させて吹練時にスラグを排除するダブルスラグ操業を安定的に行うことができる。
【００４０】
前述したように、溶融金属容器Ｃの回転位置によって溶融金属容器Ｃの荷重を支持するために、第１の支持部３００は、図１〜図３に示される実施例のように、第１の固定部材３１０と、リンク部材３２０と、第２の固定部材３３０と、を含むことができる。
【００４１】
図１と図２に示される実施例のように、第１の固定部材３１０はリング部材２００に備えられることができる。このような第１の固定部材３１０は、特に限定されず、リング部材２００に備えられ、後述するようにリンク部材３２０が連結されるものであればいずれのものでも良い。
【００４２】
リンク部材３２０は、図１〜図４に示される実施例のように、一側が第１の固定部材３１０に連結されることができる。図３と図４に示される実施例のように、第１の固定部材３１０とリンク部材３２０は、ピン部材Ｐによって連結されることができる。そして、第１の固定部材３１０とリンク部材３２０の連結部には球面軸受Ｂが備えられることができる。即ち、図示されている実施例のように、ピン部材Ｐとリンク部材３２０の間に球面軸受Ｂが位置するようにすることにより、第１の固定部材３１０とリンク部材３２０の連結部に球面軸受Ｂが備えられるようにすることができる。このように、第１の固定部材３１０とリンク部材３２０の連結部に球面軸受Ｂが備えられると、リンク部材３２０が溶融金属容器Ｃの荷重によって左右に少しずつ移動しても、これを支持することができる。また、図示されている実施例のような位置に、即ち、ピン部材Ｐとリンク部材３２０の間に球面軸受Ｂが一つのみ備えられ、ピン部材Ｐと第１の固定部材３１０の間に球面軸受Ｂが備えられなくても、リンク部材３２０が溶融金属容器Ｃの荷重によって少しずつ左右に移動することを防止することができる。この場合、ピン部材Ｐと第１の固定部材３１０の間には、図示されている実施例のように、一面がテーパー状のテーパー部材Ｔが位置して支持されることができる。
【００４３】
第２の固定部材３３０は、図１と図２に示される実施例のように、溶融金属容器Ｃに備えられることができる。そして、第２の固定部材３３０には、図示されている実施例のように、リンク部材３２０の他側が連結されることができる。図３と図４に示されて前述したように、第２の固定部材３３０とリンク部材３２０も、ピン部材Ｐによって連結されることができる。そして、第２の固定部材３３０とリンク部材３２０の連結部にも、ピン部材Ｐとリンク部材３２０の間に球面軸受Ｂが位置するようにすることにより、第２の固定部材３３０とリンク部材３２０の連結部に球面軸受Ｂが備えられるようにすることができる。そして、ピン部材Ｐと第２の固定部材３３０の間にも、図示されている実施例のように、テーパー部材Ｔが位置して支持されることができる。これにより、溶融金属容器Ｃの荷重によってリンク部材３２０が左右に少しずつ移動しても、これを支持することができる。このような第２の固定部材３３０は、特に限定されず、溶融金属容器Ｃに備えられリンク部材３２０が連結されるものであればいずれのものでも良い。
【００４４】
一方、図３に示される実施例のように、カバー部材ＣＶがボルト等によって第１の固定部材３１０とテーパー部材Ｔ及びピン部材Ｐ又は第２の固定部材３３０とテーパー部材Ｔ及びピン部材Ｐに連結されることができる。これにより、テーパー部材Ｔとピン部材Ｐが元の位置に固定されることができる。
【００４５】
また、このようなカバー部材ＣＶは、図４に示される実施例のように、テーパー部材Ｔと一体に形成されることもできる。このように、カバー部材ＣＶとテーパー部材Ｔが一体に形成されると、カバー部材ＣＶを用いて、テーパー部材Ｔをピン部材Ｐと第１の固定部材３１０の間又はピン部材Ｐと第２の固定部材３３０の間に容易に位置させることができる。そして、カバー部材ＣＶを用いて、テーパー部材Ｔをピン部材Ｐと第１の固定部材３１０の間又はピン部材Ｐと第２の固定部材３３０の間から容易に分離させることができる。
【００４６】
これにより、第１の固定部材３１０とリンク部材３２０、そして、第２の固定部材３３０とリンク部材３２０の連結と分離が容易となることができる。
【００４７】
第２の支持部４００は、図６と図７に示されているように、溶融金属容器Ｃの直立位置Ｄから、該直立位置Ｄから一定角度回転した第１の回転位置Ｄ１までは、リンク部材２００と連係して溶融金属容器Ｃの荷重を支持しないことができる。このような溶融金属容器Ｃの直立位置Ｄから第１の回転位置Ｄ１までは、前述したように、第１の支持部３００がリンク部材２００と連係して溶融金属容器Ｃの荷重を単独で支持することができる。そして、第２の支持部４００は、第１の回転位置Ｄ１から、直立位置Ｄから９０°回転した第２の回転位置Ｄ２までは、第１の支持部３００と一緒にリンク部材２００と連係して溶融金属容器Ｃの荷重を支持することができる。また、第２の回転位置Ｄ２から、該第２の回転位置Ｄ２から一定角度回転した第３の回転位置Ｄ３までは、第２の支持部４００がリング部材２００と連係して溶融金属容器Ｃの荷重を単独で支持することができる。
【００４８】
このため、第２の支持部４００は、図１と図２及び図５に示される実施例のように、支持部材４１０と、挿入穴４２０と、を含むことができる。
【００４９】
図１と図２及び図５に示される実施例のように、支持部材４１０はリング部材２００に備えられることができる。図示されている実施例のように、支持部材４１０は、リング部材２００に備えられた回転軸Ａの反対側に、即ち、リング部材２００の内側に備えられることができる。また、回転軸Ａのように支持部材４１０もリング部材２００に二つ備えられることができる。このような支持部材４１０は、特に限定されず、リング部材２００に備えられることができるものであればいずれのものでも良い。
【００５０】
挿入穴４２０は、図１と図２及び図５に示される実施例のように、溶融金属容器Ｃに形成されることができる。挿入穴４２０には、図示されている実施例のように、前述した支持部材４１０の一側が挿入されることができる。これにより、前述したように、溶融金属容器Ｃの回転位置によって挿入穴４２０に挿入された支持部材４１０の一側によって溶融金属容器Ｃの荷重が支持されることができる。
【００５１】
一方、支持部材４１０と挿入穴４２０の間には、図５に示される実施例のように、第１の間隙Ｇ１と第２の間隙Ｇ２が形成されることができる。第２の間隙Ｇ２は、図示されている実施例のように、第１の間隙Ｇ１の反対側に形成されることができる。そして、このような第１の間隙Ｇ１と第２の間隙Ｇ２は、図５に示される実施例のように、溶融金属容器Ｃの直立位置Ｄで挿入穴４２０の上部と下部にそれぞれ位置することができる。これにより、溶融金属容器Ｃの直立位置Ｄでは、溶融金属容器Ｃの荷重が第２の支持部４００の支持部材４１０によって支持されなくなる。したがって、この場合は、前述したように、第１の支持部３００が単独でリング部材２００と連係して溶融金属容器Ｃの荷重を支持することができる。また、溶融金属容器Ｃの直立位置Ｄから、第１の回転位置Ｄ１、即ち、溶融金属容器Ｃとリング部材２００の回転によって図６と図７に示されているように支持部材４１０が挿入穴４２０にはじめて接触する回転位置である第１の回転位置Ｄ１までは、前述したように、第１の支持部３００が単独でリング部材２００と連係して溶融金属容器Ｃの荷重を支持することができる。そして、第１の回転位置Ｄ１から第２の回転位置Ｄ２までは、第１の支持部３００と第２の支持部４００が一緒にリング部材２００と連係して溶融金属容器Ｃの荷重を支持することができる。即ち、溶融金属容器Ｃの回転によって溶融金属容器Ｃの荷重が第１の支持部３００から第２の支持部４００に移動することができる。また、第２の回転位置Ｄ２から第３の回転位置Ｄ３まではリング部材２００と連係して第１の支持部３００による溶融金属容器Ｃの荷重の支持がなされないため、第２の支持部４００が単独でリング部材２００と連係して溶融金属容器Ｃの荷重を支持することができる。
【００５２】
図５に示される実施例のように、支持部材４１０と挿入穴４２０の間に形成された第１の間隙Ｇ１と第２の間隙Ｇ２によって材質の異なる溶融金属容器Ｃとリング部材２００の熱膨張差によって、連結部である支持部材４１０と挿入穴４２０等にクラックが発生することを防止することができる。また、図示されている実施例のように、第１の間隙Ｇ１は第２の間隙Ｇ２より大きい。このように、第１の間隙Ｇ１が第２の間隙Ｇ２より大きい場合、支持部材４１０を挿入穴４２０に容易に組み立てることができる。このような第１の間隙Ｇ１と第２の間隙Ｇ２のサイズは、特に限定されず、前述したように、溶融金属容器Ｃの直立位置Ｄから第１の回転位置Ｄ１まではリング部材２００と連係して第１の支持部３００が単独で溶融金属容器Ｃの荷重を支持し、第１の回転位置Ｄ１から第２の回転位置Ｄ２までは第１の支持部３００と第２の支持部４００がリング部材２００と連係して一緒に溶融金属容器Ｃの荷重を支持し、第２の回転位置Ｄ２から第３の回転位置Ｄ３までは第２の支持部４００がリング部材２００と連係して溶融金属容器Ｃの荷重を支持し、材質の異なる溶融金属容器Ｃとリング部材２００の熱膨張差によって支持部材４１０と挿入穴４２０にクラックが発生することを防止できるサイズであればいずれのサイズでも良い。
【００５３】
一方、挿入穴４２０には、図１と図２及び図５に示される実施例のように、溶融金属容器Ｃの荷重の支持のためにリブＬが備えられることもできる。
【００５４】
以下、図６と図７を参照して、本発明による溶融金属容器支持装置１００の一実施例の作動について説明する。
【００５５】
まず、図６と図７に示されているように、溶融金属容器Ｃの直立位置Ｄでは、第２の支持部４００の支持部材４１０と挿入穴４２０の間の第１の間隙Ｇ１と第２の間隙Ｇ２が挿入穴４２０の上部と下部にそれぞれ位置する。したがって、この場合は、第１の支持部３００が単独でリング部材２００と連係して溶融金属容器Ｃの荷重を支持するようになる。
【００５６】
また、溶融金属容器Ｃとリング部材２００がリング部材２００の回転軸Ａを中心に一側又は他側に回転して第２の支持部４００の支持部材４１０が挿入穴４２０にはじめて接触する第１の回転位置Ｄ１までもまた、第１の間隙Ｇ１と第２の間隙Ｇ２によって支持部材４１０が挿入穴４２０に接触しなくなる。これにより、溶融金属容器Ｃの直立位置Ｄから第１の回転位置Ｄ１までもまた、第１の支持部３００が単独でリング部材２００と連係して溶融金属容器Ｃの荷重を支持するようになる。
【００５７】
そして、第１の回転位置Ｄ１から溶融金属容器Ｃがリング部材２００と一緒に一側又は他側にさらに回転する第２の回転位置Ｄ２までは、図６と図７に示されているように、支持部材４１０が挿入穴４２０に接触し、且つ溶融金属容器Ｃの回転角が直立位置Ｄから９０°にならない。これにより、前述したように、溶融金属容器Ｃの荷重を、第１の支持部３００と第２の支持部４００がリング部材２００と連係して一緒に支持するようになる。即ち、第１の支持部３００に加わる溶融金属容器Ｃの荷重が第２の支持部４００に移動する。
【００５８】
以後、溶融金属容器Ｃが第２の回転位置Ｄ２まで回転すると、図６と図７に示されているように、第１の支持部３００はリング部材２００と連係して溶融金属容器Ｃの荷重を支持できなくなる。したがって、この場合は、第２の支持部４００がリング部材２００と連係して溶融金属容器Ｃの荷重を支持するようになる。
【００５９】
また、溶融金属容器Ｃがリング部材２００と一緒に一側又は他側にさらに回転する第３の回転位置Ｄ３までは、例えば、溶融金属容器Ｃが転炉であり、転炉に入った溶融金属を出鋼する場合は、図６と図７に示されているように、溶融金属容器Ｃの回転角が直立位置Ｄから９０°を超えるようになる。したがって、この場合も、第１の支持部３００はリング部材２００と連係して溶融金属容器Ｃを支持できなくなる。しかしながら、この場合、第２の支持部４００の支持部材４１０は、溶融金属容器Ｃの自重によって、図６と図７に示されているように挿入穴４２０に接触するようになる。したがって、第２の回転位置Ｄ２から第３の回転位置Ｄ３までは、第２の支持部４００が単独でリング部材２００と連係して溶融金属容器Ｃの荷重を支持するようになる。
【００６０】
一方、溶融金属容器Ｃがリング部材２００と一緒に回転軸Ａを中心に一側又は他側に交互に回転したとしても、前述したように、回転位置Ｄ、Ｄ１、Ｄ２、Ｄ３によって、第１の支持部３００と第２の支持部４００が単独で又は一緒にリング部材２００と連係して溶融金属容器Ｃの荷重を安定的に支持できるようになる。
【００６１】
以上のように、本発明による溶融金属容器支持装置を用いると、回転位置によって単独で又は一緒にリング部材と連係して溶融金属容器の荷重を支持することができ、これにより、溶融金属容器の回転位置にかかわらず、溶融金属容器の荷重を偏ることなく安定的に支持することができ、溶融金属容器の荷重が偏って作用するか又は溶融金属容器とリング部材の熱膨張差によって連結部等にクラックが発生することを防止することができ、溶融金属容器を一側又は他側に交互に回転させる場合にも安定的に溶融金属容器を支持することができる。
【００６２】
上述した溶融金属容器支持装置は、上述した実施例の構成に限定されず、多様な変形が可能になるように各実施例の全部又は一部が選択的に組み合わせられて構成されることもできる。
【図１】
0005581445.tif 000002
【図２】
0005581445.tif 000003
【図３】
0005581445.tif 000004
【図４】
0005581445.tif 000005
【図５】
0005581445.tif 000006
【図６】
0005581445.tif 000007
【図７】
0005581445.tif 000008
【図８（ａ）】
0005581445.tif 000009
【図８（ｂ）】
0005581445.tif 000010
【図９（ａ）】
0005581445.tif 000011
【図９（ｂ）】
0005581445.tif 000012